(57)【要約】  ユーザ端末は、１以上の送信ポイントの異なる動作に対応する複数のモードの中の１つのモードを設定される制御部と、前記モードに従って、前記１以上の送信ポイントからの１以上の下り共有チャネルを受信する受信部と、を有する。本開示の一態様によれば、１以上の送信ポイントの動作に対応して適切に動作することができる。
2020144871.tif 000002
【特許請求の範囲】
【請求項１】
１以上の送信ポイントの異なる動作に対応する複数のモードの中の１つのモードを設定される制御部と、
前記モードに従って、前記１以上の送信ポイントからの１以上の下り共有チャネルを受信する受信部と、を有することを特徴とするユーザ端末。
【請求項２】
前記複数のモードは、
第１送信ポイントが第１下り制御情報を送信し、前記第１送信ポイントが前記第１下り制御情報に基づく下り共有チャネルを送信する第１モードと、
前記第１送信ポイントが第２下り制御情報を送信し、前記第１送信ポイントが前記第２下り制御情報に基づく下り共有チャネルを送信し、第２送信ポイントが前記第２下り制御情報に基づく下り共有チャネルを送信する第２モードと、
前記第１送信ポイントが第３下り制御情報を送信し、前記第２送信ポイントが前記第３下り制御情報に依存する第４下り制御情報を送信し、前記第１送信ポイントが前記第３下り制御情報に基づく下り共有チャネルを送信し、前記第２送信ポイントが前記第４下り制御情報に基づく下り共有チャネルを送信する第３モードと、
前記第１送信ポイントが第５下り制御情報を送信し、前記第２送信ポイントが第６下り制御情報を送信し、前記第１送信ポイントが前記第５下り制御情報に基づく下り共有チャネルを送信し、前記第２送信ポイントが前記第６下り制御情報に基づく下り共有チャネルを送信する第４モードと、
の少なくとも１つを含むことを特徴とする請求項１に記載のユーザ端末。
【請求項３】
前記制御部は、上位レイヤシグナリングによって、前記モードを設定されることを特徴とする請求項１又は請求項２に記載のユーザ端末。
【請求項４】
前記受信部は、前記１以上の下り共有チャネルをスケジュールする１以上の下り制御情報を受信し、
前記１以上の下り制御情報内の特定フィールドのビット幅及び解釈及び値の少なくとも１つは、前記モードによって異なることを特徴とする請求項１から請求項３のいずれかに記載のユーザ端末。
【請求項５】
前記制御部は、１つの送信ポイントから送信される１つの下り制御情報によって、前記モードを設定されることを特徴とする請求項１又は請求項２に記載のユーザ端末。
【請求項６】
１以上の送信ポイントの異なる動作に対応する複数のモードの中の１つのモードを設定される工程と、
前記モードに従って、前記１以上の送信ポイントからの１以上の下り共有チャネルを受信する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ．８−１４）では、ユーザ端末（User  Equipment（ＵＥ））は、下り制御チャネル（例えば、Physical  Downlink  Control  Channel（ＰＤＣＣＨ））を介して伝送される下り制御情報（Downlink  Control  Information（ＤＣＩ）、ＤＬアサインメント等ともいう）に基づいて、下り共有チャネル（例えば、Physical  Downlink  Shared  Channel（ＰＤＳＣＨ））の受信を制御する。また、ユーザ端末は、ＤＣＩ（ＵＬグラント等ともいう）に基づいて、上り共有チャネル（例えば、Physical  Uplink  Shared  Channel（ＰＵＳＣＨ））の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）において、複数の送信ポイント（送受信ポイント、パネルなど）を用いる送信が検討されている。１つ又は複数の送信ポイントの動作によって、ビームなどの設定が異なることが考えられる。【０００７】
しかしながら、１つ又は複数の送信ポイントがどのように動作し、その動作がＵＥに対してどのように設定されるかが明らかでない。その動作がＵＥに対して適切に設定されなければ、通信品質が劣化するおそれがある。【０００８】
そこで、本開示は、１以上の送信ポイントの動作に対応して適切に動作するユーザ端末及び無線通信方法を提供することを目的の１つとする。
【課題を解決するための手段】
【０００９】
本開示の一態様に係るユーザ端末は、１以上の送信ポイントの異なる動作に対応する複数のモードの中の１つのモードを設定される制御部と、前記モードに従って、前記１以上の送信ポイントからの１以上の下り共有チャネルを受信する受信部と、を有することを特徴とする。
【発明の効果】
【００１０】
本開示の一態様によれば、１以上の送信ポイントの動作に対応して適切に動作することができる。
【図面の簡単な説明】
【００１１】
【図１】図１Ａ−図１Ｃは、複数ＴＲＰ送信の一例を示す図である。
【図２】図２は、ＰＤＳＣＨのＤＭＲＳポートのＱＣＬ想定の一例を示す図である。
【図３】図３Ａ−図３Ｄは、送信モードの一例を示す図である。
【図４】図４は、一実施形態に係る無線通信システムの概略構成の一例を示す図である。
【図５】図５は、一実施形態に係る基地局の構成の一例を示す図である。
【図６】図６は、一実施形態に係るユーザ端末の構成の一例を示す図である。
【図７】図７は、一実施形態に係る基地局及びユーザ端末のハードウェア構成の一例を示す図である。
【発明を実施するための形態】
【００１２】
（複数ＴＲＰ送信）
将来の無線通信システム（例えば、Ｒｅｌ．１６以降）では、複数の送信ポイントからそれぞれノンコヒーレントなＤＬ（例えば、ＰＤＳＣＨ）送信が行われることが検討されている。複数の送信ポイントからノンコヒーレントとなるＤＬ信号（又は、ＤＬチャネル）を協調して行う送信は、ＮＣＪＴ（Non-Coherent  Joint  Transmission）と呼んでもよい。
【００１３】
また、本開示において、送信ポイントは、送受信ポイント（Transmission/Reception  Point：ＴＲＰ）、パネル（panel、アンテナパネル、複数のアンテナ素子）、アンテナ、アンテナポート、又はセルと読み替えられてもよい。送信ポイント（ＴＲＰ、パネルなど）は、例えば、ビーム、Spatial  filter、Reference  Signal（ＲＳ）リソース、擬似コロケーション（Quasi  Co-Location（ＱＣＬ））、送信設定指示（Transmission  Configuration  Indication（ＴＣＩ））、又はそれらをグルーピングした概念で置き換えることができる。
【００１４】
複数の送信ポイントからそれぞれ送信されるノンコヒーレントのＰＤＳＣＨのスケジューリングを１以上のDownlink  Control  Information（ＤＣＩ）を用いて制御することも想定される。一例として、複数の送信ポイントから送信されるＰＤＳＣＨをスケジューリングするために、複数の下り制御チャネル（例えば、ＰＤＣＣＨ）及びＤＣＩの少なくとも一つが利用される。
【００１５】
この場合、異なる送信ポイントからそれぞれ送信されるＰＤＳＣＨを同じリソース（例えば、時間及び周波数リソース）に割当てて送信することも考えられる。例えば、同じコードワード（ＣＷ）に対応するＰＤＳＣＨを異なるレイヤで送信する構成（図１Ａ参照）、異なるＣＷに対応するＰＤＳＣＨを送信する構成（図１Ｂ参照）がサポートされる。
【００１６】
図１Ａでは、第１の送信ポイントから送信されるＰＤＳＣＨ（ＣＷ＃１に対応）がレイヤ１及び２の少なくとも一つを利用し、第２の送信ポイントから送信されるＰＤＳＣＨ（ＣＷ＃１に対応）がレイヤ３及び４の少なくとも一つを利用して同じ時間及び周波数リソースに割当てられる場合を示している。
【００１７】
図１Ｂでは、第１の送信ポイントから送信されるＰＤＳＣＨ（ＣＷ＃１に対応）と、第２の送信ポイントから送信されるＰＤＳＣＨ（ＣＷ＃２に対応）が同じ時間及び周波数リソースに割当てられる場合を示している。
【００１８】
また、図１Ｃのように、複数ＴＲＰ送信において、複数のＰＤＳＣＨが、異なるMultiple  Input  Multiple  Output（ＭＩＭＯ）レイヤにおいて送信されてもよい。また、複数のＰＤＳＣＨの時間リソース及び周波数リソースが重複してもよい。
【００１９】
ＵＥは、複数のＴＲＰを用いる通信（例えば、複数ＴＲＰ送信）を上位レイヤシグナリング（設定情報）によって設定されてもよい。ＵＥは、複数のＴＲＰを用いる通信のために、複数のＴＲＰにそれぞれ対応する複数のリソースの割り当てを示す情報（上位レイヤシグナリング及びＤＣＩの少なくとも１つ）を通知されてもよい。
【００２０】
複数のＴＲＰは、同期（synchronous）ネットワークに属していてもよいし、非同期（asynchronous）ネットワークに属していてもよい。また、複数のＴＲＰは、理想バックホール（ideal  backhaul）を介して接続されてもよいし、非理想バックホール（non-ideal  backhaul）を介して接続されてもよい。
【００２１】
（ＴＣＩ状態）
ＮＲでは、ＴＣＩ状態（TCI  state）に基づいて、信号及びチャネルの少なくとも一方（信号／チャネルと表現する）の受信処理（例えば、受信、デマッピング、復調、復号の少なくとも１つ）を制御することが検討されている。
【００２２】
ここで、ＴＣＩ状態とは、信号又はチャネルの疑似コロケーション（Quasi-Co-Location：ＱＣＬ）に関する情報であり、空間受信パラメータ、空間関係情報（spatial  relation  info）などとも呼ばれてもよい。ＴＣＩ状態は、チャネルごと又は信号ごとにＵＥに設定されてもよい。
【００２３】
ＱＣＬとは、信号／チャネルの統計的性質を示す指標である。例えば、ある信号／チャネルと他の信号／チャネルがＱＣＬの関係である場合、これらの異なる複数の信号／チャネル間において、ドップラーシフト（Doppler  shift）、ドップラースプレッド（Doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００２４】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、spatial  QCL（ｓＱＣＬ）で読み替えられてもよい。
【００２５】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延、
・ＱＣＬタイプＤ：空間受信パラメータ。
【００２６】
所定のＣＯＲＥＳＥＴ、チャネル又は参照信号が、別のＣＯＲＥＳＥＴ、チャネル又は参照信号と特定のＱＣＬ（例えば、ＱＣＬタイプＤ）の関係にあるとＵＥが想定することは、ＱＣＬ想定（QCL  assumption）と呼ばれてもよい。
【００２７】
ＵＥは、信号／チャネルのＴＣＩ状態又はＱＣＬ想定に基づいて、当該信号／チャネルの送信ビーム（Ｔｘビーム）及び受信ビーム（Ｒｘビーム）の少なくとも１つを決定してもよい。
【００２８】
ＴＣＩ状態は、例えば、対象となるチャネル（又は当該チャネル用の参照信号（Reference  Signal：ＲＳ））と、別の信号（例えば、別の下り参照信号（Downlink  Reference  Signal：ＤＬ−ＲＳ））とのＱＣＬに関する情報であってもよい。ＴＣＩ状態は、上位レイヤシグナリング、物理レイヤシグナリング又はこれらの組み合わせによって設定（指示）されてもよい。
【００２９】
物理レイヤシグナリングは、例えば、下り制御情報（Downlink  Control  Information：ＤＣＩ）であってもよい。
【００３０】
ＴＣＩ状態が設定（指定）されるチャネルは、例えば、下り共有チャネル（Physical  Downlink  Shared  Channel：ＰＤＳＣＨ）、下り制御チャネル（Physical  Downlink  Control  Channel：ＰＤＣＣＨ）、上り共有チャネル（Physical  Uplink  Shared  Channel：ＰＵＳＣＨ）、上り制御チャネル（Physical  Uplink  Control  Channel：ＰＵＣＣＨ）の少なくとも１つであってもよい。
【００３１】
また、当該チャネルとＱＣＬ関係となるＲＳは、例えば、同期信号ブロック（Synchronization  Signal  Block：ＳＳＢ）、チャネル状態情報参照信号（Channel  State  Information  Reference  Signal：ＣＳＩ−ＲＳ）、測定用参照信号（Sounding  Reference  Signa：ＳＲＳl）の少なくとも１つであってもよい。
【００３２】
ＳＳＢは、プライマリ同期信号（Primary  Synchronization  Signal：ＰＳＳ）、セカンダリ同期信号（Secondary  Synchronization  Signal：ＳＳＳ）及びブロードキャストチャネル（Physical  Broadcast  Channel：ＰＢＣＨ）の少なくとも１つを含む信号ブロックである。ＳＳＢは、ＳＳ／ＰＢＣＨブロックと呼ばれてもよい。
【００３３】
上位レイヤシグナリングによって設定されるＴＣＩ状態の情報要素（ＲＲＣの「TCI-state  IE」）は、１つ又は複数のＱＣＬ情報（「QCL-Info」）を含んでもよい。ＱＣＬ情報は、ＱＣＬ関係となるＤＬ−ＲＳに関する情報（ＤＬ−ＲＳ関連情報）及びＱＣＬタイプを示す情報（ＱＣＬタイプ情報）の少なくとも１つを含んでもよい。ＤＬ−ＲＳ関連情報は、ＤＬ−ＲＳのインデックス（例えば、ＳＳＢインデックス、ノンゼロパワーＣＳＩ−ＲＳリソースＩＤ）、ＲＳが位置するセルのインデックス、ＲＳが位置するＢＷＰ（Bandwidth  Part）のインデックスなどの情報を含んでもよい。
【００３４】
＜ＰＤＣＣＨのためのＴＣＩ状態＞
ＰＤＣＣＨ（又はＰＤＣＣＨに関連するＤＭＲＳアンテナポート）及び所定のＤＬ−ＲＳとのＱＣＬに関する情報は、ＰＤＣＣＨのためのＴＣＩ状態などと呼ばれてもよい。
【００３５】
ＵＥは、ＵＥ固有のＰＤＣＣＨ（ＣＯＲＥＳＥＴ）のためのＴＣＩ状態を、上位レイヤシグナリングに基づいて判断してもよい。
【００３６】
例えば、ＵＥに対して、ＣＯＲＥＳＥＴごとに、１つ又は複数（Ｋ個）のＴＣＩ状態がＲＲＣシグナリング（ControlResourceSet情報要素）によって設定されてもよい。また、ＵＥは、各ＣＯＲＥＳＥＴについて、それぞれ１つ又は複数のＴＣＩ状態を、ＭＡＣ  ＣＥを用いてアクティベートしてもよい。当該ＭＡＣ  ＣＥは、ＵＥ固有ＰＤＣＣＨ用ＴＣＩ状態指示ＭＡＣ  ＣＥ（TCI  State  Indication  for  UE-specific  PDCCH  MAC  CE）と呼ばれてもよい。ＵＥは、ＣＯＲＥＳＥＴのモニタを、当該ＣＯＲＥＳＥＴに対応するアクティブなＴＣＩ状態に基づいて実施してもよい。
【００３７】
＜ＰＤＳＣＨのためのＴＣＩ状態＞
ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００３８】
ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００３９】
ＰＤＳＣＨのスケジューリングに用いられる下り制御情報（ＤＣＩ：Downlink  Control  Information）は、当該ＰＤＳＣＨ用のＴＣＩ状態を示す所定のフィールド（例えば、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００４０】
ＴＣＩフィールドがＤＣＩに含まれるか否かは、基地局からＵＥに通知される情報によって制御されてもよい。当該情報は、ＤＣＩ内にＴＣＩフィールドが存在するか否か（present  or  absent）を示す情報（TCI-PresentInDCI）であってもよい。当該情報は、例えば、上位レイヤシグナリングによってＵＥに設定されてもよい。
【００４１】
ＤＣＩがｘビット（例えば、ｘ＝３）のＴＣＩフィールドを含む場合、基地局は、最大２ｘ（例えば、ｘ＝３の場合、８）種類のＴＣＩ状態を、上位レイヤシグナリングを用いてＵＥに予め設定してもよい。ＤＣＩ内のＴＣＩフィールドの値（ＴＣＩフィールド値）は、上位レイヤシグナリングにより予め設定されたＴＣＩ状態の１つを示してもよい。
【００４２】
８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００４３】
当該ＭＡＣ  ＣＥは、ＲＲＣシグナリングによって設定されるＴＣＩ状態ＩＤ（TCI  state  ID）のうち、ＤＣＩのＴＣＩフィールドのコードポイントにマップするＴＣＩ状態を指定し、当該ＴＣＩ状態をアクティベートするために用いられる。アクティベートされたＴＣＩ状態は、ＴＣＩ状態ＩＤの昇順又は降順に、上記ＴＣＩフィールドのコードポイント値０から２ｘ−１（例えば、ｘ＝３の場合、７）にマップされてもよい。
【００４４】
ＵＥが、上記ＭＡＣ  ＣＥを提供したＰＤＳＣＨのためのＨＡＲＱ−ＡＣＫ（Hybrid  Automatic  Repeat  reQuest  ACKnowledgement）を送信するスロットをｎとおくと、当該ＭＡＣ  ＣＥに基づくアクティベーション／ディアクティベーション（ＤＣＩ内のＴＣＩフィールドとＴＣＩ状態とのマッピング）は、スロットｎ＋３＊（サブフレーム内のスロット数）＋１から適用されてもよい。つまり、スロットｎ＋３＊（サブフレーム内のスロット数）＋１において、上記ＭＡＣ  ＣＥに基づくＴＣＩフィールドのコードポイントの更新が有効であってもよい。
【００４５】
ＤＬ  ＤＣＩの受信と当該ＤＣＩに対応するＰＤＳＣＨの受信との間の時間オフセットが所定の閾値以上である場合、ＵＥは、当該ＤＣＩによって指示されるＴＣＩ状態によって与えられるＱＣＬタイプパラメータに関するＴＣＩ状態におけるＲＳと、サービングセルのＰＤＳＣＨのＤＭＲＳポートがＱＣＬである（”the  DM-RS  ports  of  PDSCH  of  a  serving  cell  are  quasi  co-located  with  the  RS(s)  in  the  TCI  state  with  respect  to  the  QCL  type  parameter(s)  given  by  the  indicated  TCI  state”）と想定してもよい。
【００４６】
ＤＬ  ＤＣＩの受信と当該ＤＣＩに対応するＰＤＳＣＨの受信との間の時間オフセットは、スケジューリングオフセットと呼ばれてもよい。
【００４７】
また、上記所定の閾値は、「Threshold」、「Threshold  for  offset  between  a  DCI  indicating  a  TCI  state  and  a  PDSCH  scheduled  by  the  DCI」、「Threshold-Sched-Offset」、スケジュールオフセット閾値、スケジューリングオフセット閾値などと呼ばれてもよい。
【００４８】
スケジューリングオフセット閾値は、ＵＥ能力に基づいてもよく、例えばＰＤＣＣＨの復号及びビーム切り替えにかかる遅延に基づいてもよい。当該スケジューリングオフセット閾値の情報は、基地局から上位レイヤシグナリングを用いて設定されてもよいし、ＵＥから基地局に送信されてもよい。
【００４９】
また、スケジューリングオフセットがスケジューリングオフセット閾値未満である場合、ＵＥは、サービングセルのアクティブＢＷＰ（Bandwidth  Part）内で１つ以上の制御リソースセット（ＣＯＲＥＳＥＴ：Control  Resource  Set）が当該ＵＥに設定される最新（直近、latest）のスロットにおける最小のＣＯＲＥＳＥＴ−ＩＤに対応するＰＤＣＣＨ  ＱＣＬ指示のために用いられるＱＣＬパラメータに関するＴＣＩ状態におけるＲＳと、当該サービングセルのＰＤＳＣＨのＤＭＲＳポートがＱＣＬである（the  DM-RS  ports  of  PDSCH  of  a  serving  cell  are  quasi  co-located  with  the  RS(s)  in  the  TCI  state  with  respect  to  the  QCL  parameter(s)  used  for  PDCCH  quasi  co-location  indication  of  the  lowest  CORESET-ID  in  the  latest  slot  in  which  one  or  more  CORESETs  within  the  active  BWP  of  the  serving  cell  are  configured  for  the  UE）と想定してもよい。
【００５０】
例えば、ＵＥは、上記ＰＤＳＣＨのＤＭＲＳポートが、上記最小のＣＯＲＥＳＥＴ−ＩＤに対応するＣＯＲＥＳＥＴについてアクティベートされたＴＣＩ状態に基づくＤＬ−ＲＳとＱＣＬであると想定してもよい。最新のスロットは、例えば、上記ＰＤＳＣＨをスケジュールするＤＣＩを受信するスロットであってもよい。
【００５１】
なお、ＣＯＲＥＳＥＴ−ＩＤは、ＲＲＣ情報要素「ControlResourceSet」によって設定されるＩＤ（ＣＯＲＥＳＥＴの識別のためのＩＤ）であってもよい。
【００５２】
図２は、ＰＤＳＣＨのＤＭＲＳポートのＱＣＬ想定の一例を示す図である。本例では、スケジューリングオフセットがスケジューリングオフセット閾値より小さい。したがって、ＵＥは、当該ＰＤＳＣＨのＤＭＲＳポートが、最新のスロットにおける最小のＣＯＲＥＳＥＴ−ＩＤに対応するＰＤＣＣＨ用ＴＣＩ状態におけるＲＳ（例えば、ＰＤＣＣＨ用ＤＭＲＳ）と、ＱＣＬであると想定してもよい。
【００５３】
以上のように、各ＴＣＩ状態は、ＰＤＳＣＨ用のＱＣＬ情報を示すことができる（含むことができる）。ユーザ端末に対しては、一以上のＴＣＩ状態（一以上のＰＤＳＣＨ用のＱＣＬ情報）が上位レイヤシグナリング（例えば、ＲＲＣシグナリング）により無線基地局から通知（設定（configure））されてもよい。なお、ユーザ端末に設定されるＴＣＩ状態の数は、ＱＣＬタイプによって制限されてもよい。
【００５４】
ＰＤＳＣＨのスケジューリングに用いられるＤＣＩ（ＤＬアサインメント）は、ＴＣＩ状態（ＰＤＳＣＨ用のＱＣＬ情報）を示す所定のフィールド（ＴＣＩ状態フィールド）を含んでもよい。ＴＣＩ状態フィールドは、所定ビット数（例えば、３ビット）で構成されてもよい。当該ＴＣＩ状態フィールドがＤＣＩに含まれるか否かは、無線基地局からの通知（例えば、上位レイヤシグナリング）によって制御されてもよい。
【００５５】
例えば、ＤＣＩが３ビットのＴＣＩ状態フィールドを含む場合、無線基地局は、最大８種類のＴＣＩ状態を上位レイヤシグナリングによりユーザ端末に予め設定（configure）してもよい。ＤＣＩ内のＴＣＩ状態フィールドの値（ＴＣＩ状態フィールド値）は、上位レイヤシグナリングにより予め設定されたＴＣＩ状態の一つを示してもよい。
【００５６】
８種類を超えるＴＣＩ状態がユーザ端末に設定される場合、ＭＡＣ制御要素（Medium  Access  Control  Control  Element：ＭＡＣ  ＣＥ）により、８種類以下のＴＣＩ状態がアクティブ化（指定）されてもよい。ＤＣＩ内のＴＣＩ状態フィールドの値は、ＭＡＣ  ＣＥによりアクティブ化されたＴＣＩ状態の一つを示してもよい。
【００５７】
ユーザ端末は、ＤＣＩが示すＴＣＩ状態（ＰＤＳＣＨ用のＱＣＬ情報）に基づいて、ＰＤＳＣＨ（又はＰＤＳＣＨのＤＭＲＳポート）のＱＣＬを決定する。例えば、ユーザ端末は、サービングセルのＰＤＳＣＨのＤＭＲＳポート（又は、ＤＭＲＳポートグループ）が、ＤＣＩで通知されたＴＣＩ状態に対応するＤＬ−ＲＳとＱＣＬであると想定してＰＤＳＣＨの受信処理（例えば、復号処理及び／又は復調処理等）を制御する。これにより、ＰＤＳＣＨの受信精度を向上できる。
【００５８】
１つ又は複数のＴＲＰが送信に用いられる場合、１つのＴＲＰと複数のＴＲＰとの間において、ＴＣＩ状態などの設定が異なることが考えられる。
【００５９】
例えば、送信に１つのＴＲＰが用いられるか複数のＴＲＰが用いられるかをどのように指示するか、が明らかでない。例えば、１つのＴＲＰが用いられるケースと、複数のＴＲＰが用いられるケースとの間において、ＤＣＩフィールドがどのように変化するかが明らかでない。
【００６０】
そこで、本発明者らは、１以上の送信ポイントの異なる動作に対応する複数のモードの中の１つのモードをＵＥに設定することを着想した。これによって、１以上の送信ポイントの異なる動作を切り替えることができる。
【００６１】
以下、本開示に係る実施形態について、図面を参照して詳細に説明する。以下の各実施形態は、それぞれ単独で適用されてもよいし、組み合わせて適用されてもよい。
【００６２】
本開示において、上位レイヤシグナリングは、例えば、Radio  Resource  Control（ＲＲＣ）シグナリング、Medium  Access  Control（ＭＡＣ）シグナリング、ブロードキャスト情報などのいずれか、又はこれらの組み合わせであってもよい。
【００６３】
ＭＡＣシグナリングは、例えば、ＭＡＣ制御要素（ＭＡＣ  Control  Element（ＣＥ））、ＭＡＣ  Protocol  Data  Unit（ＰＤＵ）などを用いてもよい。ブロードキャスト情報は、例えば、マスタ情報ブロック（Master  Information  Block：ＭＩＢ）、システム情報ブロック（System  Information  Block：ＳＩＢ）、最低限のシステム情報（Remaining  Minimum  System  Information：ＲＭＳＩ）、その他のシステム情報（Other  System  Information：ＯＳＩ）などであってもよい。
【００６４】
本開示において、ＴＲＰ、送信ポイント、ＤＭＲＳポートグループ、ＭＩＭＯレイヤ、パネル、セル、キャリア、コンポーネントキャリア（ＣＣ）、ＰＤＳＣＨ、コードワード、基地局、などは、互いに読み替えられてもよい。
【００６５】
複数ＴＲＰ送信は、複数パネル送信、複数パネルＴＲＰ送信、異なるＴＲＰからの複数のＰＤＳＣＨの受信、異なるＤＭＲＳポートグループに対応する複数のＰＤＳＣＨの受信、複数のＤＭＲＳポートグループが設定された場合、複数のＰＤＳＣＨのリソースの少なくとも一部が重複する場合、などと読み替えられてもよい。
【００６６】
新ＤＣＩフォーマット、新フィールド、新ＲＮＴＩ、などの新パラメータは、特定のリリース（例えば、Ｒｅｌ．１６以降）に規定され、且つ特定のリリースよりも過去のリリース（例えば、Ｒｅｌ．１５）に規定されていないパラメータと読み替えられてもよい。
【００６７】
（無線通信方法）
＜実施形態１＞
複数の送信モードが定義されてもよい。
【００６８】
複数の送信モードは、次の送信モードの少なくとも１つを含んでもよい。
・シングルモード
・シングルマスタモード
・マスタ−スレーブモード
・マルチ−マスタモード
【００６９】
シングルモードは、図３Ａに示すように、１つのＴＲＰ＃１を用いる。当該ＴＲＰ＃１は、制御情報（ＤＣＩ）を送信し、当該制御情報によってスケジュールされるデータ（ＰＤＳＣＨ）を送信する。シングルモードは、Ｒｅｌ．１５  ＮＲにおける１つのＴＲＰを用いる送信と同様であってもよい。
【００７０】
シングルマスタモードは、図３Ｂに示すように、複数のＴＲＰ（例えば、ＴＲＰ＃１、＃２）を用いる。複数のＴＲＰの中の１つのＴＲＰ（例えば、ＴＲＰ＃１、マスタＴＲＰ）は、制御情報を送信する。当該制御情報は、複数のデータをスケジュールする。複数のＴＲＰは、複数のデータをそれぞれ送信する。
【００７１】
マスタ−スレーブモードは、図３Ｃに示すように、複数のＴＲＰ（例えば、ＴＲＰ＃１、＃２）を用いる。複数のＴＲＰは、関連する複数の制御情報をそれぞれ送信する。複数の制御情報の少なくとも１つは、他の制御情報に依存する。複数の制御情報は、複数のデータをスケジュールする。複数のＴＲＰは、複数のデータをそれぞれ送信する。
【００７２】
複数のＴＲＰがＴＲＰ＃１、＃２であり、ＴＲＰ＃１（マスタＴＲＰ）、ＴＲＰ＃２（スレーブＴＲＰ）がＤＣＩパート１、ＤＣＩパート２をそれぞれ送信する場合、ＤＣＩパート２は、ＤＣＩパート１に依存してもよい。ＵＥは、ＤＣＩパート１を用いてＴＲＰ＃１のＰＤＳＣＨを受信する。ＵＥは、ＤＣＩパート１を用いてＤＣＩパート２を受信してもよいし、ＤＣＩパート１及びＤＣＩパート２の両方を用いてＴＲＰ＃２のＰＤＳＣＨを受信してもよい。
【００７３】
ＤＣＩパート１は、ＤＣＩパート２を復号するための補助情報を含んでもよい。ＤＣＩパート２は、ＤＣＩパート１と同じスロット内に送信されてもよい。
【００７４】
ＵＥは、ＤＣＩパート１によって示される次の情報のいずれかを用いて、ＤＣＩパート２を復号してもよい。
・ＤＣＩパート２の方向（ＤＬをスケジュールする（ＤＬ  ＤＣＩ）か、ＵＬをスケジュールするか（ＵＬ  ＤＣＩ）か）
・ＤＣＩパート２のＤＣＩフォーマット
・ＤＣＩパート２を送信するＴＲＰに関連付けられた情報（例えば、ＤＭＲＳポートグループ）
・ＤＣＩパート２のペイロードサイズ
・ＤＣＩパート２が所定時間範囲（例えば、同一スロット）で送信されるか否か
・所定時間範囲（例えば、同一スロット）で送信される他のＤＣＩ数又はＤＣＩのトータル数
・ＤＣＩパート２のＰＤＣＣＨ構成ＩＤ（PDCCH-Config  ID）
・ＤＣＩパート２のサーチスペースＩＤ（SearchSpace  ID）
・ＤＣＩパート２のコントロールリソースセットＩＤ（ControlResourceSet  ID）
・ＤＣＩパート２のアグリゲーションレベル（Aggregation  level）
・ＤＣＩパート２のＣＣＥインデックス（CCE  index）
・ＤＣＩパート２のＤＣＩフォーマット
・ＤＣＩパート２とＤＣＩパート１の間の時間リソース位置の関係（Relationship  of  time  resource  location）
・ＤＣＩパート２とＤＣＩパート１の周波数リソース位置の関係（Relationship  of  frequency  resource  location）
【００７５】
ＴＲＰ＃１、＃２がＤＣＩパート１、ＤＣＩパート２をそれぞれ送信する場合、ＤＣＩパート１及びＤＣＩパート２が互いに依存してもよい。ＵＥは、ＤＣＩパート１及びＤＣＩパート２の両方を用いてＴＲＰ＃１のＰＤＳＣＨ及びＴＲＰ＃１のＰＤＳＣＨを受信してもよい。
【００７６】
マルチ−マスタモードは、図３Ｄに示すように、複数のＴＲＰ（例えば、ＴＲＰ＃１、＃２）を用いる。複数のＴＲＰは、独立した複数の制御情報をそれぞれ送信する。複数の制御情報は、複数のデータをそれぞれスケジュールする。複数のＴＲＰは、複数のデータをそれぞれ送信する。
【００７７】
１つのＴＲＰのみを用いるシングルモードが、シングルＴＲＰモードと呼ばれてもよく、複数のＴＲＰを用いる、シングルマスタモード、マスタ−スレーブモード、マルチ−マスタモードの少なくとも１つが、複数ＴＲＰモードと呼ばれてもよい。
【００７８】
送信モードは、ＴＲＰモード、モード、タイプ、などと読み替えられてもよい。複数のＴＲＰに対応する複数のＰＤＳＣＨを、１つのＤＣＩによってスケジュールする送信モードが、シングルＤＣＩと読み替えられてもよいし、複数のＴＲＰに対応する複数のＰＤＳＣＨを、複数のＤＣＩによってスケジュールする送信モードが、マルチＤＣＩと読み替えられてもよい。
【００７９】
複数の送信モードが、番号、又はアルファベットによって識別されてもよい。例えば、シングルモード、シングルマスタモード、マスタ−スレーブモード、マルチ−マスタモードがそれぞれ、第１モード、第２モード、第３モード、第４モードと呼ばれてもよいし、タイプ１、２、３、４と呼ばれてもよいし、タイプＡ、Ｂ、Ｃ、Ｄと呼ばれてもよい。
【００８０】
複数の送信モードの順序及び数は、これに限定されない。複数の送信モードは、シングルモード、シングルマスタモード、マスタ−スレーブモード、マルチ−マスタモード以外の送信モードを含んでもよい。
【００８１】
シングルモード、シングルマスタモード、マスタ−スレーブモード、マルチ−マスタモードのうち、１以上の送信モードが仕様に規定されてもよい。
【００８２】
シングルモード、シングルマスタモード、マスタ−スレーブモード、マルチ−マスタモードのうち、１以上の送信モードが仕様に規定されなくてもよい。
【００８３】
ＵＥは、シングルモード、シングルマスタモード、マスタ−スレーブモード、マルチ−マスタモードの一部から選択された送信モードを、上位レイヤパラメータ又はＬ１パラメータによって設定されてもよい。
【００８４】
以上の実施形態１によれば、ＵＥは、１以上のＴＲＰの動作が異なる複数の送信モードを切り替えることができる。
【００８５】
＜実施形態２＞
ＵＥは、上位レイヤシグナリングによって、送信モードを設定されてもよい。
【００８６】
ＵＥは、ＲＲＣシグナリング（ＲＲＣ情報要素）によって送信モードを設定されてもよい。
【００８７】
ＲＲＣ情報要素は、２ビットのビット列又は整数型であってもよい。２ビットの値｛００、０１、１０、１１｝は、送信モード｛シングルモード、シングルマスタモード、マスタ−スレーブモード、マルチ−マスタモード｝にそれぞれ関連付けられてもよい。ＲＲＣ情報要素は、他の型（送信モードを示す文字列型など）であってもよい。
【００８８】
設定可能な送信モードの数が４より多くてもよい。この場合、当該ＲＲＣ情報要素の値の数は４より多くてもよい。
【００８９】
ＵＥは、ＭＡＣ  ＣＥによって送信モードをアクティベートされてもよい。ＵＥは、ＭＡＣ  ＣＥによって送信モードを再設定されてもよい。アクティベーション又は再設定のための送信モードの複数の候補が、ＲＲＣ情報要素によって予め設定されてもよいし、仕様に規定されてもよい。
【００９０】
ＵＥは、送信モードに関連する特定フィールドを含む新ＤＣＩフォーマットを受信してもよい。
【００９１】
特定フィールドは、ＴＣＩフィールド（後述の例１）であってもよい。ＴＣＩフィールドは、複数のＴＲＰを用いる異なる送信モードに適用される異なるＴＣＩステートを示してもよい。
【００９２】
特定フィールドは、周波数ドメインリソース割り当てフィールド、時間ドメインリソース割り当てフィールド、その他のフィールド（後述の例２〜４）、の少なくとも１つであってもよい。
【００９３】
シングルモード及びシングルマスタモードに対する新ＤＣＩフォーマットにおいて、既存のＤＣＩフォーマットに対して、特定フィールドが追加されなくてもよい。
【００９４】
マスタ−スレーブモードに対する、１つのＴＲＰ（スレーブ）から送信されるＤＣＩ内の特定フィールドの値が、他のＴＲＰ（マスタ）から送信されるＤＣＩ内の特定フィールドの値に依存してもよい。
【００９５】
マルチ−マスタモードに対し、複数のＴＲＰのそれぞれから送信されるＤＣＩ内の特定フィールドは独立していてもよい。
【００９６】
《例１》
特定フィールドが、特定ＤＣＩフォーマット（例えば、ＰＤＳＣＨのスケジューリングに用いられるＤＣＩフォーマット、ＤＣＩフォーマット１＿１）のＴＣＩフィールドであってもよい。送信モードによって異なるＴＣＩフィールドが用いられてもよい。
【００９７】
シングルモードにおけるＴＣＩフィールドは、Ｒｅｌ．１５  ＮＲと同様であってもよい（Ｒｅｌ．１５  ＮＲのＴＣＩフィールドが再利用されてもよい）。
【００９８】
シングルモードにおいて、ＵＥがＴＣＩ状態をＤＣＩによって指示されることを上位レイヤによって設定されない場合（ＤＣＩにＴＣＩフィールドが存在することを示す上位レイヤパラメータ（例えば、tci-PresentInDCI）が有効でない場合）、ＴＣＩフィールドは０ビットであってもよい。
【００９９】
シングルモードにおいて、ＵＥがＴＣＩ状態をＤＣＩによって指示されることを上位レイヤによって設定された場合（ＤＣＩにＴＣＩフィールドが存在することを示す上位レイヤパラメータが有効である場合）、ＴＣＩフィールドは３ビットであってもよい。このＴＣＩフィールドの値（コードポイント）は８個までのＴＣＩ状態にマップされてもよい。
【０１００】
シングルマスタモードにおいて、ＵＥがＴＣＩ状態をＤＣＩによって指示されることを上位レイヤによって設定されない場合、ＴＣＩフィールドは０ビットであってもよい。
【０１０１】
シングルマスタモードにおいて、ＵＥがＴＣＩ状態をＤＣＩによって指示されることを上位レイヤによって設定された場合、ＴＣＩフィールドは、次の選択肢１〜選択肢３の少なくとも１つであってもよい。
【０１０２】
＜＜選択肢１＞＞
ＴＣＩフィールドは３×Ｍビットであってもよい。ここで、ＭはＴＲＰ数であってもよい。Ｍは上位レイヤパラメータ又はＬ１パラメータによって設定されてもよい。ＴＣＩフィールドは、Ｍ個のＴＲＰのそれぞれに対応する３ビットを含んでもよい。１つのＴＲＰに対応する３ビットの値（コードポイント）は、Ｒｅｌ．１５  ＮＲと同様、８個までのＴＣＩ状態にマップされてもよい。
【０１０３】
＜＜選択肢２＞＞
ＴＣＩフィールドは３×２ビットであってもよい。ここで、ＴＲＰ数が２であると想定してもよい。ＴＣＩフィールドは、２個のＴＲＰのそれぞれに対応する３ビットを含んでもよい。１つのＴＲＰに対応する３ビットの値（コードポイント）は、Ｒｅｌ．１５  ＮＲと同様、８個までのＴＣＩ状態にマップされてもよい。
【０１０４】
＜＜選択肢３＞＞
ＴＣＩフィールドはＸビットであってもよい。Ｘは６より小さくてもよい。ＴＲＰ数が２であると想定してもよい。例えば、選択肢２におけるＴＣＩ状態の複数の候補から、適用されない候補が除かれてもよい。また、例えば、２つのＴＲＰにそれぞれ対応する２つのＴＣＩ状態の組み合わせに対し、ＴＣＩフィールドのＸビットの値（コードポイント）は、Ｘ個の組み合わせにマップされてもよい。また、例えば、ＴＣＩフィールドのＸビットの値（コードポイント）は、Ｘ個までのＴＣＩ状態又はＴＣＩ状態のＸ個までのＩＤにマップされてもよい。この場合、２つのＴＲＰが同じＴＣＩ状態又は同じＩＤを用いてもよい。１つのＴＣＩ状態のＩＤがＴＲＰによって異なるＴＣＩ状態（ビーム）を示してもよい。
【０１０５】
マスタ−スレーブモードにおいて、ＵＥがＴＣＩ状態をＤＣＩによって指示されることを上位レイヤによって設定されない場合、ＤＣＩパート１内のＴＣＩフィールドは０ビットであってもよい。
【０１０６】
マスタ−スレーブモードにおいて、ＵＥがＴＣＩ状態をＤＣＩによって指示されることを上位レイヤによって設定された場合、ＤＣＩパート１内のＴＣＩフィールドは３ビットであってもよい。このＴＣＩフィールドの値（コードポイント）は８個までのＴＣＩ状態にマップされてもよい。
【０１０７】
マスタ−スレーブモードにおいて、ＵＥがＴＣＩ状態をＤＣＩによって指示されることを上位レイヤによって設定されない場合、ＤＣＩパート２内のＴＣＩフィールドは０ビットであってもよい。
【０１０８】
マスタ−スレーブモードにおいて、ＵＥがＴＣＩ状態をＤＣＩによって指示されることを上位レイヤによって設定された場合、ＤＣＩパート２内のＴＣＩフィールドは３ビットであってもよい。このＴＣＩフィールドの値（コードポイント）は８個までのＴＣＩ状態にマップされてもよい。
【０１０９】
マルチ−マスタモードにおいて、ＵＥがＴＣＩ状態をＤＣＩによって指示されることを上位レイヤによって設定されない場合、ＤＣＩ＃１内のＴＣＩフィールドは０ビットであってもよい。
【０１１０】
マルチ−マスタモードにおいて、ＵＥがＴＣＩ状態をＤＣＩによって指示されることを上位レイヤによって設定された場合、ＤＣＩ＃１内のＴＣＩフィールドは３ビットであってもよい。このＴＣＩフィールドの値（コードポイント）は８個までのＴＣＩ状態にマップされてもよい。
【０１１１】
マルチ−マスタモードにおいて、ＵＥがＴＣＩ状態をＤＣＩによって指示されることを上位レイヤによって設定されない場合、ＤＣＩ＃２内のＴＣＩフィールドは０ビットであってもよい。
【０１１２】
マルチ−マスタモードにおいて、ＵＥがＴＣＩ状態をＤＣＩによって指示されることを上位レイヤによって設定された場合、ＤＣＩ＃２内のＴＣＩフィールドは３ビットであってもよい。このＴＣＩフィールドの値（コードポイント）は８個までのＴＣＩ状態にマップされてもよい。
【０１１３】
《例２》
特定フィールドが、キャリア指示（carrier  indicator）フィールドであってもよい。
【０１１４】
Ｒｅｌ．１５−ＮＲにおいて、ＵＥが、上位レイヤパラメータ（例えば、CrossCarrierSchedulingConfig）によってキャリア指示フィールドを設定された場合、スケジュールするセル（scheduling  cell）のＤＣＩにおけるキャリア指示フィールドは、３ビットであってもよい。この場合のキャリア指示フィールドは、スケジュールされるセル（scheduled  cell）に対応する値を示してもよい。スケジュールされるセルに対応する値は、当該上位レイヤパラメータによって設定されてもよい。スケジュールされるセルに対応する値は、スケジュールするセル（セルフキャリアスケジューリング）を示す０であってもよいし、スケジュールするセル以外のセル（クロスキャリアスケジューリング）を示す１〜７のいずれかであってもよい。
【０１１５】
Ｒｅｌ．１５−ＮＲにおいて、ＵＥが上位レイヤパラメータによってキャリア指示フィールドを設定されない場合、当該サービングセルにおけるキャリア指示フィールドは、０ビットであってもよい。
【０１１６】
シングルモードにおいて、キャリア指示フィールドは、Ｒｅｌ．１５  ＮＲと同様、０又は３ビットであってもよい（Ｒｅｌ．１５  ＮＲのＴＣＩフィールドが再利用されてもよい）。
【０１１７】
シングルマスタモードにおいて、キャリア指示フィールドは、次の選択肢１、２のいずれかであってもよい。
【０１１８】
＜＜選択肢１＞＞
ＴＲＰ数が２であってもよい。
【０１１９】
ＵＥが上位レイヤパラメータによってキャリア指示フィールドを設定されない場合、キャリア指示フィールドは、Ｒｅｌ．１５  ＮＲと同様、０ビットであってもよい。ＵＥが上位レイヤパラメータによってキャリア指示フィールドを設定された場合、キャリア指示フィールドは、６ビットであってもよい。この６ビットは、２個のＴＲＰのそれぞれに対応する３ビットを含んでもよい。１つのＴＲＰに対応する３ビットの値（コードポイント）は、Ｒｅｌ．１５  ＮＲと同様、スケジュールされるセルに対応する値であってもよい。
【０１２０】
＜＜選択肢２＞＞
ＵＥが上位レイヤパラメータによってキャリア指示フィールドを設定されない場合、キャリア指示フィールドは、Ｒｅｌ．１５  ＮＲと同様、０ビットであってもよい。上位レイヤパラメータによってキャリア指示フィールドを設定された場合、キャリア指示フィールドは、３ビットであってもよい。この３ビットの値は、複数のＴＲＰに対し、同じスケジュールされるセルを示してもよく、Ｒｅｌ．１５  ＮＲと同様、スケジュールされるセルに対応する値であってもよい。
【０１２１】
マスタ−スレーブモードにおいて、ＤＣＩパート１におけるキャリア指示フィールドは、Ｒｅｌ．１５  ＮＲと同様、０又は３ビットであってもよい。
【０１２２】
マスタ−スレーブモードにおいて、ＤＣＩパート２におけるキャリア指示フィールドは、次の選択肢１、２のいずれかであってもよい。
【０１２３】
＜＜選択肢１＞＞
ＤＣＩパート２におけるキャリア指示フィールドは、０ビットであってもよい。
【０１２４】
＜＜選択肢２＞＞
ＤＣＩパート２におけるキャリア指示フィールドは、３ビットであってもよい。この３ビットの値（コードポイント）は、Ｒｅｌ．１５  ＮＲと同様、スケジュールされるセルに対応する値であってもよい。
【０１２５】
マルチ−マスタモードにおいて、ＤＣＩ＃１におけるキャリア指示フィールドは、Ｒｅｌ．１５  ＮＲと同様、０又は３ビットであってもよい。
【０１２６】
マルチ−マスタモードにおいて、ＤＣＩ＃２におけるキャリア指示フィールドは、Ｒｅｌ．１５  ＮＲと同様、０又は３ビットであってもよい。
【０１２７】
《例３》
特定フィールドが、部分帯域指示（Bandwidth  Part（BWP）  indicator）フィールドと、変調符号化方式（Modulation  and  Coding  Scheme（MCS））フィールドと、新規データ指示（New  data  indicator（NDI））フィールドと、冗長バージョン（Redundancy  version（RV））フィールドと、の少なくとも１つであってもよい。
【０１２８】
シングルモードにおいて、特定フィールドは、Ｒｅｌ．１５  ＮＲと同様であってもよい（Ｒｅｌ．１５  ＮＲの特定フィールドが再利用されてもよい）。
【０１２９】
シングルマスタモードにおいて、特定フィールドは、Ｒｅｌ．１５  ＮＲと同様であってもよい（Ｒｅｌ．１５  ＮＲの特定フィールドが再利用されてもよい）。
【０１３０】
マスタ−スレーブモードにおいて、ＤＣＩパート１における特定フィールドは、Ｒｅｌ．１５  ＮＲと同様であってもよい（Ｒｅｌ．１５  ＮＲの特定フィールドが再利用されてもよい）。
【０１３１】
マスタ−スレーブモードにおいて、ＤＣＩパート２における特定フィールドは、０ビットであってもよいし、所定の長さ（例えば、Ｒｅｌ．１５  ＮＲにおける長さ）のオール０であってもよい。
【０１３２】
マルチ−マスタモードにおいて、ＤＣＩ＃１、＃２は、次の選択肢１、２のいずれかであってもよい。
【０１３３】
＜＜選択肢１＞＞
ＤＣＩ＃１における特定フィールドと、ＤＣＩ＃２における特定フィールドとが、同じ値を有していてもよい。
【０１３４】
＜＜選択肢２＞＞
ＤＣＩ＃１及びＤＣＩ＃２のうち、一方のＤＣＩにおける特定フィールドが値を有し、他方のＤＣＩにおける特定フィールドが所定の長さ（例えば、Ｒｅｌ．１５  ＮＲにおける長さ、もう１つのＤＣＩにおける特定フィールドの長さ）のオール０であってもよい。
【０１３５】
《例４》
特定フィールドが、仮想リソースブロック（ＶＲＢ）−物理リソースブロック（ＰＲＢ）マッピング（VRB-to-PRB  mapping）フィールドと、ＰＲＢバンドリング指示（PRB  bundling  size  indicator）フィールドと、ＳＲＳ要求（SRS  request）フィールドと、コードブロックグループ（ＣＢＧ）送信情報（CBG  transmission  information（CBGTI））フィールドと、ＣＢＧ排出情報（CBG  flushing  out  information（CBGFI））フィールドと、ＤＭＲＳ系列初期化（DMRS  sequence  initialization）フィールドと、の少なくとも１つであってもよい。
【０１３６】
シングルモードにおいて、特定フィールドは、Ｒｅｌ．１５  ＮＲと同様であってもよい（Ｒｅｌ．１５  ＮＲの特定フィールドが再利用されてもよい）。
【０１３７】
シングルマスタモードにおいて、特定フィールドは、Ｒｅｌ．１５  ＮＲと同様であってもよい（Ｒｅｌ．１５  ＮＲの特定フィールドが再利用されてもよい）。
【０１３８】
マスタ−スレーブモードにおいて、ＤＣＩパート１における特定フィールドは、Ｒｅｌ．１５  ＮＲと同様であってもよい（Ｒｅｌ．１５  ＮＲの特定フィールドが再利用されてもよい）。
【０１３９】
マスタ−スレーブモードにおいて、ＤＣＩパート２における特定フィールドは、Ｒｅｌ．１５  ＮＲと同様であってもよい（Ｒｅｌ．１５  ＮＲの特定フィールドが再利用されてもよい）。
【０１４０】
マルチ−マスタモードにおいて、ＤＣＩ＃１、＃２のそれぞれにおける特定フィールドは、Ｒｅｌ．１５  ＮＲと同様であってもよい（Ｒｅｌ．１５  ＮＲの特定フィールドが再利用されてもよい）。
【０１４１】
以上の実施形態２によれば、複数の送信モードを切り替えることができ、送信モードに応じて柔軟な制御を行うことができる。
【０１４２】
＜実施形態３＞
ＵＥは、特定ＤＣＩによって、送信モードを指示されてもよい。
【０１４３】
特定ＤＣＩは、次の実施形態３−１、３−２の少なくとも１つであってもよい。
【０１４４】
《実施形態３−１》
特定ＤＣＩは、新ＤＣＩフォーマットであってもよい。
【０１４５】
ＵＥは、新ＤＣＩフォーマット内の新フィールド（新パラメータ）によって、送信モードを指示されてもよいし、送信モードを再設定されてもよい。ＵＥは、上位レイヤによって設定された送信モードを、新ＤＣＩフォーマットによって再設定されてもよい。
【０１４６】
新ＤＣＩフォーマットは、送信モードに関する２ビットの新フィールドを含んでもよい。２ビットの値｛００、０１、１０、１１｝は、送信モード｛シングルモード、シングルマスタモード、マスタ−スレーブモード、マルチ−マスタモード｝にそれぞれ関連付けられてもよい。
【０１４７】
ＵＥは、セルにおけるＵＥの位置の変化に応じて、当該パラメータによって送信モードを再設定されてもよい。
【０１４８】
設定可能な送信モードの数が４より多くてもよい。この場合、当該パラメータのビット数は２より多くてもよい。
【０１４９】
新ＤＣＩフォーマットは、送信モードに関する１ビットの新フィールドを含んでもよい。１ビットの値｛０、１｝は、送信モード｛シングルＴＲＰモード（シングルモード）、マルチＴＲＰモード（シングルマスタモード、マスタ−スレーブモード、マルチ−マスタモードの１つ）｝にそれぞれ関連付けられてもよい。
【０１５０】
ＵＥは、セルにおけるＵＥの位置の変化に応じて、当該パラメータによって送信モードを再設定されてもよい。ＵＥは、当該パラメータによって、複数パネルＴＲＰ送信（例えば、シングルモード）から複数ＴＲＰ送信へ再設定されてもよい。
【０１５１】
ＵＥが、送信モードの指示のために、複数のＴＲＰからそれぞれ送信される複数のＰＤＣＣＨを受信する場合、数多くの組み合わせのブラインド復号を行うことになり、ＵＥの負荷が大きくなる。
【０１５２】
そこで、ＵＥは、新ＤＣＩフォーマットによって、１つのＰＤＣＣＨのみを用いる特定送信モードを指示されてもよい。特定送信モードは、１つのＰＤＣＣＨのみが送信されるシングルモード及びシングルマスタモードの少なくとも１つであってもよい。ＵＥは、１より多い新ＤＣＩフォーマットを受信すると期待しなくてもよい。これによって、ＵＥの負荷を抑えることができる。
【０１５３】
１つのＰＤＣＣＨのみを送信する送信モードが指示される場合、次の特徴１〜３の少なくとも１つが用いられてもよい。
【０１５４】
＜＜特徴１＞＞
新ＤＣＩフォーマットにおける新フィールド以外の各フィールドのビット幅は、異なる送信モードを指示するＤＣＩの間において等しくてもよい。
【０１５５】
＜＜特徴２＞＞
ＵＥは、各ＰＤＳＣＨに対し、デフォルトのＴＣＩ状態を想定してもよい。
【０１５６】
例えば、ＤＣＩの受信と当該ＤＣＩに対応するＰＤＳＣＨの受信との間の時間オフセット（スケジューリングオフセット）が所定の閾値以上である場合、ＵＥは、当該ＰＤＳＣＨのＴＣＩ状態が、対応するＤＣＩによって指示されるＴＣＩ状態である（当該ＰＤＳＣＨのＤＭＲＳポートが、対応するＤＣＩによって指示されたＴＣＩ状態に用いられるＲＳとＱＣＬである）と想定してもよい。
【０１５７】
例えば、スケジューリングオフセットが所定の閾値未満である場合、ＵＥは、サービングセルのＰＤＳＣＨのＴＣＩ状態が、当該サービングセルの特定ＰＤＣＣＨのＴＣＩ状態である（例えば、サービングセルのＰＤＳＣＨのＤＭＲＳポートが、当該サービングセルの特定ＰＤＣＣＨのＴＣＩ状態の指示に用いられるＲＳとＱＣＬである）と想定してもよい。特定ＰＤＣＣＨは、当該サービングセルのアクティブＢＷＰ内の１つ以上のＣＯＲＥＳＥＴが設定された最新のスロットにおける特定ＴＲＰ−ＩＤの最小のＣＯＲＥＳＥＴ−ＩＤのＰＤＣＣＨであってもよい。特定ＴＲＰ−ＩＤは、当該スロットにおける最小又は最大のＴＲＰ−ＩＤであってもよいし、当該ＰＤＳＣＨの送信に用いられるＴＲＰのＩＤであってもよい。
【０１５８】
＜＜特徴３＞＞
１つのＤＣＩが複数のＴＲＰからの複数のＰＤＳＣＨをスケジュールする場合、当該ＤＣＩに基づいて、複数のＴＲＰに対して完全に同じ周波数ドメインリソース割り当て及び時間ドメインリソース割り当てを適用してもよい。
【０１５９】
《実施形態３−２》
ＵＥは、特定Radio  Network  Temporary  Identifier（ＲＮＴＩ）によってスクランブルされたＣＲＣを有する特定ＤＣＩフォーマット（例えば、ＤＣＩフォーマット１＿１、他のＤＣＩフォーマット）によって、送信モードの変更を指示されてもよい。特定ＲＮＴＩは、新ＲＮＴＩであってもよい。新ＲＮＴＩは、Cell（Ｃ）−ＲＮＴＩ、Configured  Scheduling（ＣＳ）−ＲＮＴＩ、ＭＣＳ−Ｃ−ＲＮＴＩと異なるＲＮＴＩであってもよく、ＴＲＰ−Ｃ−ＲＮＴＩと呼ばれてもよい。
【０１６０】
ＵＥは、特定ＲＮＴＩによってスクランブルされたＣＲＣを有するＤＣＩフォーマットによって、特定送信モードを指示されてもよいし、特定送信モードを再設定されてもよい。ＵＥは、セルにおけるＵＥの位置の変化に応じて、当該ＤＣＩフォーマットによって送信モードを再設定されてもよい。
【０１６１】
複数の特定ＲＮＴＩが複数の特定送信モードにそれぞれ関連付けられてもよい。例えば、特定ＲＮＴＩがＣ−ＲＮＴＩであり、対応する特定送信モードがシングルＴＲＰモード（シングルモード）であってもよく、特定ＲＮＴＩがＴＲＰ−Ｃ−ＲＮＴＩであり、対応する特定送信モードが複数ＴＲＰモード（シングルマスタモード、マスタ−スレーブモード、マルチ−マスタモードの１つ）であってもよい。
【０１６２】
ＵＥが、送信モードの指示のために、複数のＴＲＰからそれぞれ送信される複数のＰＤＣＣＨを受信する場合、数多くの組み合わせのブラインド復号を行うことになり、ＵＥの負荷が大きくなる。
【０１６３】
そこで、特定送信モードは、１つのＰＤＣＣＨのみを用いる特定送信モードであってもよく、シングルモード及びシングルマスタモードの少なくとも１つであってもよい。ＵＥは、特定ＲＮＴＩ（例えば、ＴＲＰ−Ｃ−ＲＮＴＩ）を用いた、１より多いＤＣＩを受信すると期待しなくてもよい。これによって、ＵＥの負荷を抑えることができる。
【０１６４】
１つのＰＤＣＣＨのみを送信する送信モードが指示される場合、次の特徴１〜３の少なくとも１つが用いられてもよい。
【０１６５】
＜＜特徴１＞＞
特定ＤＣＩフォーマットにおける各フィールドのビット幅は、異なる送信モードを指示するＤＣＩ（異なるＲＮＴＩを用いるＤＣＩ）の間において等しくてもよい。
【０１６６】
＜＜特徴２＞＞
ＵＥは、各ＰＤＳＣＨに対し、デフォルトのＴＣＩ状態を想定してもよい。デフォルトのＴＣＩ状態は、実施形態３−１と同様であってもよい。
【０１６７】
＜＜特徴３＞＞
１つのＤＣＩが複数のＴＲＰからの複数のＰＤＳＣＨをスケジュールする場合、当該ＤＣＩに基づいて、複数のＴＲＰに対して完全に同じ周波数ドメインリソース割り当て及び時間ドメインリソース割り当てを適用してもよい。
【０１６８】
以上の実施形態３によれば、ＵＥは、１以上のＴＲＰの動作が異なる複数の送信モードを切り替えることができる。
【０１６９】
＜他の実施形態＞
複数ＴＲＰ送信における少なくとも１つのＰＤＳＣＨをスケジュールするＤＣＩフィールドのビット幅、解釈、値の少なくとも１つは、送信モードに従って決定されてもよい。ＵＥは、送信モードに基づいて、ＤＣＩフィールドのビット幅及び値を解釈してもよい。
【０１７０】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１７１】
図４は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１７２】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１７３】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１７４】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１７５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１７６】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１７７】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１７８】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１７９】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１８０】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１８１】
ユーザ端末２０は、ＬＴＥ、ＬＴＥ−Ａ、５Ｇなどの通信方式の少なくとも１つに対応した端末であってもよい。
【０１８２】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１８３】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１８４】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１８５】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１８６】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１８７】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１８８】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１８９】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１９０】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１９１】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１９２】
なお、本開示において下りリンク、上りリンクなどは「リンク」を付けずに表現されてもよい。また、各種チャネルの先頭に「物理（Physical）」を付けずに表現されてもよい。
【０１９３】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１９４】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１９５】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１９６】
（基地局）
図５は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１９７】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１９８】
制御部１１０は、基地局１０全体の制御を実施する。制御部１１０は、本開示に係る技術分野での共通認識に基づいて説明されるコントローラ、制御回路などから構成することができる。
【０１９９】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０２００】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０２０１】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０２０２】
送受信アンテナ１３０は、本開示に係る技術分野での共通認識に基づいて説明されるアンテナ、例えばアレイアンテナなどから構成することができる。
【０２０３】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０２０４】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０２０５】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０２０６】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０２０７】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０２０８】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０２０９】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２１０】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０２１１】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０２１２】
なお、本開示における基地局１０の送信部及び受信部は、送受信部１２０及び送受信アンテナ１３０の少なくとも１つによって構成されてもよい。
【０２１３】
また、制御部１１０は、１以上の送信ポイントの異なる動作に対応する複数のモード（送信モード、タイプ、など、例えば、シングルモード、シングルマスタモード、マスタ−スレーブモード、マルチ−マスタモードの少なくとも１つを含む）の中の１つのモードをＵＥに設定してもよい。送受信部２２０は、前記モードに従って、前記１以上の送信ポイントから１以上の下り共有チャネル（ＰＤＳＣＨ）を送信してもよい。
【０２１４】
（ユーザ端末）
図６は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０２１５】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０２１６】
制御部２１０は、ユーザ端末２０全体の制御を実施する。制御部２１０は、本開示に係る技術分野での共通認識に基づいて説明されるコントローラ、制御回路などから構成することができる。
【０２１７】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０２１８】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０２１９】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０２２０】
送受信アンテナ２３０は、本開示に係る技術分野での共通認識に基づいて説明されるアンテナ、例えばアレイアンテナなどから構成することができる。
【０２２１】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０２２２】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０２２３】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０２２４】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０２２５】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０２２６】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０２２７】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０２２８】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２２９】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０２３０】
なお、本開示におけるユーザ端末２０の送信部及び受信部は、送受信部２２０、送受信アンテナ２３０及び伝送路インターフェース２４０の少なくとも１つによって構成されてもよい。
【０２３１】
また、制御部２１０は、１以上の送信ポイントの異なる動作に対応する複数のモード（送信モード、タイプ、など、例えば、シングルモード、シングルマスタモード、マスタ−スレーブモード、マルチ−マスタモードの少なくとも１つを含む）の中の１つのモードを設定されてもよい。送受信部２２０は、前記モードに従って、前記１以上の送信ポイントからの１以上の下り共有チャネル（ＰＤＳＣＨ）を受信してもよい。
【０２３２】
また、前記複数のモードは、第１送信ポイント（例えば、ＴＲＰ＃１）が第１下り制御情報を送信し、前記第１送信ポイントが前記第１下り制御情報に基づく下り共有チャネルを送信する第１モード（シングルモード）と、前記第１送信ポイントが第２下り制御情報を送信し、前記第１送信ポイントが前記第２下り制御情報に基づく下り共有チャネルを送信し、第２送信ポイント（例えば、ＴＲＰ＃２）が前記第２下り制御情報に基づく下り共有チャネルを送信する第２モード（シングルマスタモード）と、前記第１送信ポイントが第３下り制御情報（例えば、ＤＣＩパート１）を送信し、前記第２送信ポイントが前記第３下り制御情報に依存する第４下り制御情報（例えば、ＤＣＩパート２）を送信し、前記第１送信ポイントが前記第３下り制御情報に基づく下り共有チャネルを送信し、前記第２送信ポイントが前記第４下り制御情報に基づく下り共有チャネルを送信する第３モード（マスタ−スレーブモード）と、前記第１送信ポイントが第５下り制御情報（例えば、ＤＣＩ＃１）を送信し、前記第２送信ポイントが第６下り制御情報（例えば、ＤＣＩ＃２）を送信し、前記第１送信ポイントが前記第５下り制御情報に基づく下り共有チャネルを送信し、前記第２送信ポイントが前記第６下り制御情報に基づく下り共有チャネルを送信する第４モード（マルチ−マスタモード）と、の少なくとも１つを含んでもよい。
【０２３３】
また、制御部２１０は、上位レイヤシグナリング（例えば、ＲＲＣ情報要素、ＭＡＣ  ＣＥなど）によって、前記モードを設定されてもよい。
【０２３４】
また、送受信部２２０は、前記１以上の下り共有チャネルをスケジュールする１以上の下り制御情報を受信してもよい。前記１以上の下り制御情報内の特定フィールドのビット幅及び解釈及び値の少なくとも１つは、前記モードによって異なってもよい。
【０２３５】
また、制御部２１０は、１つの送信ポイントから送信される１つの下り制御情報によって、前記モードを設定されてもよい。
【０２３６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２３７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２３８】
例えば、本開示の一実施形態における基地局、ユーザ端末などは、本開示の無線通信方法の処理を行うコンピュータとして機能してもよい。図７は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２３９】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２４０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２４１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２４２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０２４３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２４４】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２４５】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２４６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２４７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０２４８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２４９】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２５０】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０２５１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２５２】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２５３】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０２５４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２５５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２５６】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２５７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２５８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２５９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２６０】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２６１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２６２】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２６３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２６４】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０２６５】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０２６６】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２６７】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０２６８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２６９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２７０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２７１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２７２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２７３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２７４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２７５】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２７６】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２７７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２７８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２７９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２８０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２８１】
本開示において使用する「システム」及び「ネットワーク」という用語は、互換的に使用され得る。「ネットワーク」は、ネットワークに含まれる装置（例えば、基地局）のことを意味してもよい。
【０２８２】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２８３】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２８４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２８５】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２８６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２８７】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２８８】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２８９】
同様に、本開示におけるユーザ端末は、基地局で読み替えてもよい。この場合、上述のユーザ端末２０が有する機能を基地局１０が有する構成としてもよい。
【０２９０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２９１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２９２】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２９３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２９４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２９５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２９６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２９７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２９８】
また、「判断（決定）」は、「想定する（assuming）」、「期待する（expecting）」、「みなす（considering）」などで読み替えられてもよい。
【０２９９】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０３００】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３０１】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３０２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３０３】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３０４】
本開示において、例えば、英語でのa,  an及びtheのように、翻訳によって冠詞が追加された場合、本開示は、これらの冠詞の後に続く名詞が複数形であることを含んでもよい。
【０３０５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020144871.tif 000003
【図２】
2020144871.tif 000004
【図３】
2020144871.tif 000005
【図４】
2020144871.tif 000006
【図５】
2020144871.tif 000007
【図６】
2020144871.tif 000008
【図７】
2020144871.tif 000009
【国際調査報告】
2020144871.tif 000010
2020144871.tif 000011
2020144871.tif 000012